【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
飲料の生成において使用されるカートリッジであって、
内部空間を有する容器と、
前記容器に設けられて前記内部空間の開口を規定する縁と、
前記縁に取り付けられて前記容器の前記開口を閉じ、可撓性材料のシートから構成される蓋と、
前記縁から離れ内側に位置する周縁で当該周縁と当該縁との間に間隔が形成されるように前記蓋に取り付けられたフィルタであって、前記周縁から前記内部空間内へと延在して前記内部空間内で第１のチャンバを第２のチャンバから分離し、前記容器および当該カートリッジの前記蓋以外の部分には取り付けられていない、フィルタと、
前記容器に導入された液体と相互作用して飲料を生成するように前記内部空間の前記第１のチャンバ内に配置された飲料媒質と、
を備えており、
前記蓋が、飲料マシンによって穿孔可能で、飲料を生成するために、加圧された液体の前記内部空間の前記第１のチャンバへの流入に適応する第１の部分を有する、
カートリッジ。
【請求項２】
前記蓋がさらに、飲料マシンによって穿孔可能で前記第２のチャンバからの飲料の流出に適応する第２の部分を有し、前記蓋及び容器が非浸透性である、請求項１に記載のカートリッジ。
【請求項３】
前記容器が、飲料マシンによって穿孔されて前記飲料が前記内部空間を出ることを許容するように構成された表面を有し、前記蓋及び容器が非浸透性である、請求項１に記載のカートリッジ。
【請求項４】
前記蓋がさらに、飲料マシンによって穿孔可能で前記第２のチャンバからの飲料の流出に適応する第２の部分を有し、前記第２の部分が環状の形状を有する、請求項１に記載のカートリッジ。
【請求項５】
前記第１の部分が前記蓋の中心に位置し且つ前記周縁の内側にある、請求項１に記載のカートリッジ。
【請求項６】
前記蓋がさらに、飲料マシンによって穿孔可能で前記第２のチャンバからの飲料の流出に適応する第２の部分を有し、前記第２の部分が前記第１の部分よりも前記縁に近い、請求項１に記載のカートリッジ。
【請求項７】
前記蓋が、前記容器を穿孔するよりも低い力で穿孔されるように構成されている、請求項１に記載のカートリッジ。
【請求項８】
前記容器が側壁と底とを有する円錐台形状を有し、前記フィルタが溝付き又は円錐状の形状を有する、請求項１に記載のカートリッジ。
【請求項９】
前記カートリッジがさらに、前記蓋の前記第１の部分と前記飲料媒質との間に流れ分配器を備える、請求項１に記載のカートリッジ。
【請求項１０】
前記流れ分配器が前記蓋に取り付けられている、請求項９に記載のカートリッジ。
【請求項１１】
前記フィルタが浸透性フィルタ紙を含む、請求項１に記載のカートリッジ。
【請求項１２】
前記蓋が、前記縁から手によって剥がされるように除去可能であり、前記飲料媒質が前記第１のチャンバ内にあり、前記フィルタが、前記縁からの前記蓋の除去時に前記フィルタ及び前記飲料媒質が前記蓋と共に前記容器から除去可能なように前記蓋に取り付けられている、請求項１に記載のカートリッジ。
【請求項１３】
前記第１のチャンバ内であって前記蓋の中心に近く且つ前記蓋の前記第１の部分に対応する位置で前記蓋に取り付けられた流れ分配器をさらに備えており、前記流れ分配器が前記蓋の前記第１の部分と前記飲料媒質との間に位置されており、
前記容器が、側壁と前記側壁の上端における環状縁と前記側壁の下端における底とを有する円錐台形状を有しており、前記フィルタが溝付きのカップ状又は円錐形状を有しており、前記フィルタの上端が周縁で前記蓋のみに取り付けられており、前記蓋が、飲料マシンによって穿孔可能で前記第２のチャンバからの飲料の流出に適応する第２の部分を有し、前記第２の部分が前記第１の部分よりも前記縁に近い、請求項１に記載のカートリッジ。
【請求項１４】
前記容器が注ぎ口形状を有する側壁を含む、請求項１に記載のカートリッジ。
【請求項１５】
前記飲料媒質が前記第２のチャンバ内に配置されている、請求項１に記載のカートリッジ。
【手続補正２】
【補正対象書類名】明細書
【補正対象項目名】００５５
【補正方法】変更
【補正の内容】
【００５５】
このように本発明の少なくとも一つの実施形態のいくつかの局面が述べられてきたが、様々な変更、改変、及び改良が当業者に容易に生じることに留意されたい。そのような変更、改変、及び改良は本開示の一部であることが意図されており、本発明の思想及び範囲内にあることが意図されている。したがって、前述の記述及び図面は例示のみのものである。
［１］
飲料の生成において使用されるカートリッジであって、
内部空間を有する容器と、
前記容器に設けられて前記内部空間の開口を規定する縁と、
前記縁に取り付けられて前記容器の前記開口を閉じる蓋と、
前記縁から離れて位置する周縁で前記蓋に取り付けられたフィルタであって、前記周縁から前記内部空間内へと延在して前記内部空間内で第１のチャンバを第２のチャンバから分離し、前記容器には取り付けられていない、フィルタと、
前記容器に導入された液体と相互作用して飲料を生成するように前記内部空間内に配置された飲料媒質と、
を備えており、
前記蓋が、飲料マシンによって穿孔可能で、飲料を生成するために、加圧された液体の前記内部空間への流入に適応する第１の部分を有する、
カートリッジ。
［２］
前記蓋がさらに、飲料マシンによって穿孔可能で前記第２のチャンバからの飲料の流出に適応する第２の部分を有し、前記蓋及び容器が非浸透性である、［１］に記載のカートリッジ。
［３］
前記容器が、飲料マシンによって穿孔されて前記飲料が前記内部空間を出ることを許容するように構成された表面を有し、前記蓋及び容器が非浸透性である、［１］に記載のカートリッジ。
［４］
前記フィルタが、前記周縁と前記縁との間に間隔を形成するように前記蓋に取り付けられている、［１］に記載のカートリッジ。
［５］
前記蓋がさらに、飲料マシンによって穿孔可能で前記第２のチャンバからの飲料の流出に適応する第２の部分を有し、前記第２の部分が環状の形状を有する、［１］に記載のカートリッジ。
［６］
前記第１の部分が前記蓋の中心に位置し且つ前記周縁の内側にある、［１］に記載のカートリッジ。
［７］
前記蓋がさらに、飲料マシンによって穿孔可能で前記第２のチャンバからの飲料の流出に適応する第２の部分を有し、前記第２の部分が前記第１の部分よりも前記縁に近い、［１］に記載のカートリッジ。
［８］
前記蓋が、前記容器を穿孔するよりも低い力で穿孔されるように構成されている、［１］に記載のカートリッジ。
［９］
前記飲料媒質が前記第１のチャンバ内にある、［１］に記載のカートリッジ。
［１０］
前記容器が側壁と底とを有する円錐台形状を有し、前記フィルタが溝付き又は円錐状の形状を有し、前記フィルタが前記蓋のみに取り付けられている、［１］に記載のカートリッジ。
［１１］
前記飲料媒質が前記第１のチャンバ内にあり、前記カートリッジがさらに、前記蓋の前記第１の部分と前記飲料媒質との間に流れ分配器を備える、［１］に記載のカートリッジ。
［１２］
前記流れ分配器が前記蓋に取り付けられている、［１１］に記載のカートリッジ。
［１３］
前記フィルタが浸透性フィルタ紙を含み、前記蓋が可撓性シート材料からできている、［１］に記載のカートリッジ。
［１４］
前記蓋が、前記縁から手によって剥がされるように除去可能であり、前記飲料媒質が前記第１のチャンバ内にあり、前記フィルタが、前記縁からの前記蓋の除去時に前記フィルタ及び前記飲料媒質が前記蓋と共に前記容器から除去可能なように前記蓋に取り付けられている、［１］に記載のカートリッジ。
［１５］
前記第１のチャンバ内であって前記蓋の中心に近く且つ前記蓋の前記第１の部分に対応する位置で前記蓋に取り付けられた流れ分配器をさらに備えており、前記流れ分配器が前記蓋の前記第１の部分と前記飲料媒質との間に位置されており、
前記容器が、側壁と前記側壁の上端における環状縁と前記側壁の下端における底とを有する円錐台形状を有しており、前記フィルタが溝付きのカップ状又は円錐形状を有しており、前記フィルタの上端が周縁で前記蓋のみに取り付けられており、前記蓋が、飲料マシンによって穿孔可能で前記第２のチャンバからの飲料の流出に適応する第２の部分を有し、前記第２の部分が前記第１の部分よりも前記縁に近い、［１］に記載のカートリッジ。
［１６］
前記容器が注ぎ口形状を有する側壁を含む、［１］に記載のカートリッジ。
［１７］
前記フィルタが流れ分配器として機能し、前記飲料媒質が前記第２のチャンバ内に配置されている、［１］に記載のカートリッジ。
［１８］
前記蓋が可撓性である、［１］に記載のカートリッジ。
［１９］
飲料を生成する方法であって、
第１及び第２のチャンバを有する内部空間を有する容器と、前記内部空間の開口を規定する縁と、前記縁に取り付けられて前記容器の前記開口を閉じる蓋と、前記縁から内向きに離れて位置する周縁で前記蓋に取り付けられたフィルタであって、前記周縁から前記内部空間内へと延在して前記第１及び第２のチャンバを分離するフィルタと、前記容器に導入された液体と相互作用して飲料を生成するように前記内部空間内に配置された飲料媒質と、を有するカートリッジを準備するステップと、
前記第１のチャンバにアクセスするための第１の開口を形成するために、前記蓋の中心近くで前記縁からは離れて前記蓋に穿孔するステップと、
前記第１のチャンバ内に前記第１の開口を介して液体を導入するステップと、
前記液体の前記飲料媒質との相互作用によって飲料を生成するステップと、
前記第２のチャンバにアクセスするための第２の開口を形成するために、前記蓋に穿孔するステップであって、前記第２の開口が前記第１の開口よりも前記縁に近く且つ前記周縁と前記縁との間に位置する、ステップと、
前記飲料を前記カートリッジから前記第２の開口を介して取り除くステップと、
を包含する、方法。
［２０］
液体の前記第１のチャンバへの導入に先立って、クランプ機構で前記縁に係合するステップをさらに包含する、［１９］に記載の方法。
［２１］
前記内部空間を排気する第３の開口を形成するために、前記蓋に穿孔するステップをさらに包含する、［１９］に記載の方法。
［２２］
前記蓋が金属箔を含み且つ前記容器よりもより容易に穿孔される、［１９］に記載の方法。
［２３］
前記蓋がおよそ平坦であって、
前記蓋を、前記蓋の上方に前記容器がある下向き姿勢に、且つ前記蓋が水平面を横切る平面内にあるように位置させるステップをさらに包含する、［１９］に記載の方法。
［２４］
前記平面が前記水平面に対して約２０度〜７０度の角度である、［２３］に記載の方法。
［２５］
前記第１の開口が前記第２の開口の上方に位置する、［２３］に記載の方法。
［２６］
前記第２の開口が前記周縁と前記縁との間の前記蓋の環状部分に形成される、［１９］に記載の方法。
［２７］
前記飲料媒質が前記第１のチャンバ内に配置され、
液体を導入する前記ステップが、前記飲料媒質が配置されている前記第１のチャンバの一部分に、流れ分配器を通して液体を通すステップを包含する、［１９］に記載の方法。
［２８］
前記流れ分配器が前記内部空間内において前記蓋に取り付けられている、［２７］に記載の方法。
［２９］
前記飲料媒質が前記第２のチャンバ内に配置され、
前記第１のチャンバから前記第２のチャンバへ流れる液体と相互作用して、前記第２のチャンバ内で飲料を生成するステップをさらに包含する、［１９］に記載の方法。
［３０］
前記飲料媒質が前記第１のチャンバ内に配置され、
前記蓋、前記フィルタ、及び前記飲料媒質を単一のユニットとして前記容器から除去するように、前記蓋を手によって前記縁から剥がすステップをさらに包含する、［１９］に記載の方法。
［３１］
前記フィルタが前記容器に取り付けられていない、［１９］に記載の方法。
［３２］
前記飲料媒質が前記第１のチャンバ内に配置され、
前記液体の前記飲料媒質との相互作用によって生成された飲料を、前記フィルタを通して前記第２のチャンバへ流すステップをさらに包含する、［１９］に記載の方法。
［３３］
飲料抽出マシンで使用されるカートリッジの製造方法であって、
内部空間と前記内部空間への開口を規定する縁とを有する容器を準備するステップと、
フィルタを蓋に周縁にて取り付けるステップと、
前記フィルタを前記蓋に取り付けた後に、前記周縁が前記縁から間隔を空けて離れて且つ前記フィルタが前記周縁から前記内部空間内へと延在して前記内部空間内で第１のチャンバを第２のチャンバから分離するように、前記開口を閉じて前記蓋を前記縁に取り付けるステップと、
前記容器内に導入された液体と相互作用して飲料を生成するように配置された飲料媒質を前記内部空間内に準備するステップと、
を包含する、カートリッジの製造方法。
［３４］
前記蓋が、飲料マシンによって穿孔可能で、飲料を生成するために、液体の前記第１のチャンバ内への流入に適応する第１の部分を有する、［３３］に記載のカートリッジの製造方法。
［３５］
前記第１の部分が前記周縁内部で且つ前記蓋の中心に位置する、［３４］に記載のカートリッジの製造方法。
［３６］
前記蓋が、飲料マシンによって穿孔可能で液体の前記第２のチャンバからの流出に適応する第２の部分を有する、［３３］に記載のカートリッジの製造方法。
［３７］
前記第２の部分が前記周縁と前記縁との間に位置し、環状形状を有する、［３６］に記載のカートリッジの製造方法。
［３８］
前記容器が、飲料マシンによって穿孔されて前記飲料が前記内部空間を出ることを許容するように構成された表面を有する、［３３］に記載のカートリッジの製造方法。
［３９］
前記飲料媒質が前記第２のチャンバ内に位置する、［３３］に記載のカートリッジの製造方法。
［４０］
前記容器が側壁と底とを有する円錐台形状を有し、前記フィルタが溝付き又は円錐状の形状を有し、前記フィルタが前記蓋のみに取り付けられている、［３３］に記載のカートリッジの製造方法。
［４１］
前記蓋と前記飲料媒質との間に流れ分配器を準備するステップをさらに包含する、［３３］に記載のカートリッジの製造方法。
［４２］
前記流れ分配器が前記蓋に取り付けられている、［４１］に記載のカートリッジの製造方法。
［４３］
前記蓋が、前記縁から手によって剥がされるように除去可能であり、前記飲料媒質が前記第１のチャンバ内にあり、前記フィルタが、前記縁からの前記蓋の除去時に前記フィルタ及び前記飲料媒質が前記蓋と共に前記容器から除去可能なように前記蓋に取り付けられている、［３３］に記載のカートリッジの製造方法。
［４４］
前記飲料媒質が前記第１のチャンバ内に位置する、［３３］に記載のカートリッジの製造方法。
［４５］
前記蓋が可撓性を有する、［３３］に記載のカートリッジの製造方法。
［４６］
飲料マシンであって、
カートリッジを受容するように構成されたカートリッジ受容器と、
前記カートリッジにおける第１の開口を介して前記カートリッジに液体を導入するように構成された流体流入口と、
前記カートリッジにおける第２の開口を介して前記カートリッジから飲料を受容するように構成された流体流出口と、
を備える飲料マシンと、
前記飲料マシンの前記カートリッジ受容器によって受容されるように構成されたカートリッジであって、
内部空間と前記内部空間への開口を規定する縁とを有する容器と、
前記縁に取り付けられて前記容器の前記開口を閉じる蓋と、
前記縁から離れて位置する周縁で前記蓋に取り付けられるフィルタであって、前記周縁から前記内部空間へと延在して前記内部空間内で第１のチャンバを第２のチャンバから分離する、フィルタと、
前記容器内に導入された液体と相互作用して飲料を生成するように構成された前記内部空間内の飲料媒質と、
を備えたカートリッジと、
を備えた飲料システムであって、
前記蓋が、飲料マシンによって穿孔可能で、飲料を生成するために、前記流体流入口を介して前記第１のチャンバ内への液体の流入に適応する第１の部分を有し、前記蓋は、前記飲料マシンによって穿孔可能で前記カートリッジから前記流体流出口への飲料の流出に適応する第２の部分を有する、飲料システム。
［４７］
前記飲料マシンが前記カートリッジの前記縁に係合するクランプ機構を含む、［４６］に記載のシステム。
［４８］
前記カートリッジの前記内部空間を前記蓋の第３の開口を介して排気する排気口をさらに備える、［４６］に記載のシステム。
［４９］
前記蓋が、前記容器よりもより容易に穿孔される可撓性シートを含む、［４６］に記載のシステム。
［５０］
前記蓋がおよそ平坦であって、前記カートリッジ受容器が、前記蓋を、前記蓋の上方に前記容器がある下向き姿勢に且つ前記蓋が水平面を横切る平面内にあるように位置させるように構成されている、［４６］に記載のシステム。
［５１］
前記平面が前記水平面に対して約２０度〜７０度の角度である、［５０］に記載のシステム。
［５２］
前記流体流入口が前記流体流出口の上方に位置する、［４６］に記載のシステム。
［５３］
前記流体流入口及び前記流体流出口各々が、前記蓋を穿孔して前記第１及び第２の開口を形成するように配置されている、［４６］に記載のシステム。
［５４］
飲料の生成において使用されるカートリッジであって、
内部空間を有する容器と、
前記容器に設けられて前記内部空間の開口を規定する縁と、
前記縁に取り付けられて前記容器の前記開口を閉じる蓋と、
前記縁から離れて位置する周縁で前記蓋に取り付けられた流れ分配器であって、前記周縁から前記内部空間内へと延在して前記内部空間内で第１の領域を第２の領域から分離し、前記容器には取り付けられておらず、前記第１の領域に導入された液体の流れを変える、流れ分配器と、
前記容器に導入された液体と相互作用して飲料を生成するように前記内部空間内に配置された飲料媒質と、
を備えており、
前記蓋が、飲料マシンによって穿孔可能で前記第１の領域への液体の流入に適応する第１の部分を有する、カートリッジ。
［５５］
前記縁から離れて位置するフィルタ周縁で前記蓋に取り付けられたフィルタであって、前記フィルタ周縁から前記内部空間内に延在して前記内部空間内で第１のチャンバを第２のチャンバから分離し、前記容器には取り付けられていない、フィルタをさらに備えており、
前記流れ分配器が前記第１のチャンバ内に位置している、［５４］に記載のカートリッジ。
［５６］
前記蓋がさらに、飲料マシンによって穿孔可能で前記内部空間からの飲料の流出に適応する第２の部分をさらに有し、前記蓋及び容器が非浸透性である、［５４］に記載のカートリッジ。
［５７］
前記容器が、飲料マシンによって穿孔されて前記飲料が前記内部空間を出ることを許容するように構成された表面を有し、前記蓋及び容器が非浸透性である、［５４］に記載のカートリッジ。
［５８］
前記流れ分配器が、前記周縁と前記縁との間に間隔を形成するように前記蓋に取り付けられている、［５４］に記載のカートリッジ。
［５９］
前記蓋がさらに、飲料マシンによって穿孔可能で前記内部空間からの飲料の流出に適応する第２の部分を有し、前記第２の部分が環状の形状を有する、［５４］に記載のカートリッジ。
［６０］
前記第１の部分が前記蓋の中心に位置し且つ前記周縁の内側にある、［５４］に記載のカートリッジ。
［６１］
前記蓋がさらに、飲料マシンによって穿孔可能で前記第２のチャンバからの飲料の流出に適応する第２の部分を有し、前記第２の部分が前記第１の部分よりも前記縁に近い、［５４］に記載のカートリッジ。
［６２］
前記蓋が可撓性を有し、且つ前記容器を穿孔するよりも低い力で穿孔されるように構成されている、［５４］に記載のカートリッジ。
［６３］
前記飲料媒質が前記第２の領域内に位置する、［５４］に記載のカートリッジ。
［６４］
前記容器が側壁と底とを有する円錐台形状を有し、前記流れ分配器が前記蓋のみに取り付けられている、［５４］に記載のカートリッジ。
［６５］
前記縁から離れて位置するフィルタ周縁で前記蓋に取り付けられたフィルタであって、前記フィルタ周縁から前記内部空間内へと延在して前記内部空間内で第１のチャンバを第２のチャンバから分離し、前記容器には取り付けられていない、フィルタをさらに備えており、
前記飲料媒質が前記第１のチャンバ内に位置しており、前記流れ分配器が前記蓋の前記第１の部分と前記飲料媒質との間にある、［５４］に記載のカートリッジ。
［６６］
前記蓋が、前記縁から手によって剥がされるように除去可能であり、前記フィルタ及び前記流れ分配器が、前記縁からの前記蓋の除去時に前記フィルタ、前記流れ分配器及び前記飲料媒質が前記蓋と共に前記容器から除去可能なように前記蓋に取り付けられている、［６５］に記載のカートリッジ。
［６７］
前記流れ分配器が前記第１のチャンバ内であって前記蓋の中心に近く且つ前記蓋の前記第１の部分に対応する位置で前記蓋に取り付けられており、
前記容器が、側壁と前記側壁の上端における環状縁と前記側壁の下端における底とを有する円錐台形状を有しており、前記フィルタが溝付きのカップ状又は円錐形状を有しており、前記フィルタの上端が前記フィルタ周縁で前記蓋のみに取り付けられており、前記蓋が、飲料マシンによって穿孔可能で前記第２のチャンバからの飲料の流出に適応する第２の部分を有し、前記第２の部分が前記第１の部分よりも前記縁に近い、［６３］に記載のカートリッジ。
［６８］
前記容器が注ぎ口形状を有する側壁を含む、［６７］に記載のカートリッジ。
［６９］
飲料の生成において使用されるカートリッジであって、
内部空間を規定する側壁および底を有し、前記側壁が前記側壁上に延在している注ぎ口形状を含む、容器と、
前記容器に設けられて前記内部空間への開口を規定する縁であって、前記注ぎ口形状が前記容器の前記底の近くから前記縁に延在している、縁と、
前記縁に取り付けられて前記容器の前記開口を閉じる蓋と、
前記縁から離れて位置する周縁で前記蓋に取り付けられたフィルタであって、前記周縁から前記内部空間内へと延在して前記内部空間内で第１のチャンバを第２のチャンバから分離し、前記容器には取り付けられていない、フィルタと、
前記容器に導入された液体と相互作用して飲料を生成するように前記内部空間内に配置された飲料媒質と、
を備えており、
前記蓋が、飲料マシンによって穿孔可能で前記第１の領域への液体の流入に適応する第１の部分を有する、
カートリッジ。